(57)【要約】  ２つの相補的な入力システムを備えた装置を提供する。２つの入力システムの１つは、第１の所定のユーザ入力に２つ以上の可能性のあるデータを関連付ける点で曖昧である。この装置は、ユーザによりどの実際のデータが求められているかをこの第１入力システムから認識することができない。複数の可能性のあるデータを解決するために、ユーザは第２入力システムにより第２ユーザ入力を提供する。第２ユーザ入力を用いて、処理ユニットは、複数の可能性のあるデータから、ユーザにより実際に求められる１つのデータを特定することが可能である。
2005513608.tif 000002
【特許請求の範囲】
【請求項１】
第１ユーザ入力を複数の可能性のあるデータと関連付けるための曖昧な第１データ入力システム；
第２ユーザ入力を受信することが可能である前記第１データ入力システムから独立した第２データ入力システム；並びに
前記第２ユーザ入力を用いて前記複数の可能性のあるデータの１つを選択するために前記第１入力システムおよび前記第２入力システムに結合される処理ユニット；
を有することを特徴とする装置。
【請求項２】
請求項１に記載の装置であって、前記処理ユニットに結合され、前記複数の可能性のあるデータの１つを表示する表示装置をさらに有する、ことを特徴とする装置。
【請求項３】
請求項１に記載の装置であって、前記第１データ入力システムは、特定のキーストロークを複数のグラフィック記号と関連付けるために少なくとも１つの実際のキーボードおよび仮想のキーボードを有する、ことを特徴とする装置。
【請求項４】
請求項１に記載の装置であって、前記第１データ入力システムはタッチ感応スクリーンを有する、ことを特徴とする装置。
【請求項５】
請求項１に記載の装置であって、前記第２データ入力システムは、発語認識入力システム、手書き入力システム、スタイラス入力システムおよびキーストローク入力システムの１つである、ことを特徴とする装置。
【請求項６】
請求項１に記載の装置であって、前記処置ユニットは、内部でアクセスされる辞書データベースおよび遠隔的にアクセスされる辞書データベースの少なくとも１つに基づいて前記複数の可能性のあるデータの１つを選択することが可能である、ことを特徴とする装置。
【請求項７】
第１の曖昧な入力システムによってユーザにより提供される第１ユーザ入力を複数の可能性のあるデータと関連付ける段階；
第２データ入力システムにより第２ユーザ入力を受信する段階；並びに
前記第２ユーザ入力データを用いて前記複数の可能性のあるデータの１つを選択するために前記第２ユーザ入力と前記複数の可能性のあるデータとを処理する段階；
を実行するための指令を有することを特徴とするソフトウェアアプリケーション。
【発明の詳細な説明】
【技術分野】
【０００１】
本発明は、複数のデータ入力システムを備えた装置に関する。本発明は、ユーザがデータを入力することができるいずれかの種類の個人消費者向け機器に関する。
【背景技術】
【０００２】
例えば、携帯電話、携帯情報端末、ウェブパッド、インスタントメッセンジャまたはリモートコントロールのような民生用電子通信機器の製造メーカは、そのようなデータ入力専用装置の範囲を限定する傾向にある。それら装置のサイズが小さくなるに従い、実際のキーボードは、例えば、より小さくなり、または仮想キーボードにより置き換えられる。また、それは、非常に小さい個々の文字キーまたは仮想文字キーをもたらす。個人個人は例えば、スタイラスのような特殊なツールを用いることなく、そのようなキーボード上の正しい記号を捉えることが困難になっている。スペルエラー、曖昧なデータ入力およびゆっくりしたデータ入力はまた、それらからもたらされ得る。これらの欠点を除くために、種々の解決策が検討されてきた。提案された解決策の一部は、音声認識入力システム、手書き認識入力システムまたはスタイラス援用入力システムのような他のデータ入力システムの開発を含む。他の既存の解決策は、種々の入力システムの組み合わせおよび入力データを決定するために２つまたはそれ以上の入力システムの結果の比較を含む。
【０００３】
米国特許第６，２８５，７８５号明細書をここで参照するに、自動メッセージ認識システムを動作するための方法および装置について開示している。その開示されている方法および装置は、スループットの点で、自動認識器の全体的な正確さを改善するために発語の使用と手書き認識を統合して用いている。ユーザの発語は第１信号に変換され、ユーザの手書きは第２信号に変換される。第１信号および第２信号は、一貫したメッセージを符合化するために処理され、第１信号および第２信号により分離して伝送され、または第１信号および第２信号により一緒に伝送される。
【０００４】
一部の例においては、実際のキーボードまたは仮想キーボードは、特定のキーストロークが１つの文字、数字またはグラフィック記号のみに対応する従来のＡＺＥＲＴＹキーパッドまたはＱＷＥＲＴＹキーパッドより少ないキーを有するように、わざと減少される。例えば、電気通信分野において、名前選択の方法は、数字キーパッドを用いるものが知られている。電話のキーパッドは数字と共にそれらキーと一体的に文字を有している。例えば、キー“２”はまた、文字Ａ、ＢおよびＣを伴っている。一部のダイヤルしすてむにおいては、人の名前を入力することにより人の番号をダイヤルできることが知られている。初めの幾つかの文字は、限定された名前のリストと比較することにより人を識別するために、しばしば十分である。このテーマに関する参照文献は米国特許第５，９５２，９４２であって、この文献の援用により本発明の説明の一部を代替する。この参照文献は、キーパッドのキーをアクティブにすることにより装置へのテキスト入力方法について記載している。アクティブにされたキーに対応する文字の候補の組み合わせについて辞書が検索される。候補の組み合わせは順序付けられる。少なくとも高い序列を付けられた候補の組み合わせを表すユーザにフィードバックが提示される。この提示されたフィードバックは、ユーザ入力に対応する可能性を有するようなものである。この可能性、すなわち、所定のことばにおける使用の可能性は、ことばのモデルに基づいて決定されることが可能である。
【０００５】
米国特許第６，３０７，５４８号明細書および米国特許第６，３０７，５４９号明細書をまた参照する。これら参照文献においては、キーの数を減少させたキーボードを有する、キーボードを減少させた曖昧さを除去したシステムについて記載している。複数の記号および文字が、ユーザにより入力されるキーストロークが曖昧であるように、データキーの集合に割り当てられる。各々のキーストロークにおける曖昧さのために、入力されるキーストロークシーケンスは、多くのことばを同じ数の文字にマッチさせることが可能である。曖昧さのないシステムは、多くの語彙モジュールを有するメモリを有する。各々の対象はまた、用いる頻度と関連付けられる。入力されたキーストロークシーケンスをマッチさせる語彙モジュールにおける対象は、選択リストにおいてユーザに対して表示される。それらの使用頻度に応じて、対象は選択リストにリストアップされる。曖昧さのない選択キーは、キーストロークシーケンスの終わりを区切るためにユーザにより押される。選択リストにおける最初の入力は、曖昧なキーストロークシーケンスのデフォルトの解釈として曖昧さのないシステムにより自動的に選択される。ユーザは、他の曖昧なキーストロークシーケンスの入力を開始することにより選択された解釈を受け入れる。また、ユーザは、選択リストにおける他の入力を選択するために、何度も選択キーを押すことが可能である。
【発明の開示】
【発明が解決しようとする課題】
【０００６】
本発明の目的は、同時に用いられる２つの相補的なデータ入力システムを有する装置を提供することである。第１入力システムは、曖昧であるように構成され、第１システムによりもたらされるいずれの曖昧さは第２システムにより取り除かれる。
【０００７】
本発明の他の目的は、装置の入力能力および出力能力を最適に使用する速く信頼性高いデータ入力システムを備える装置を提供することである。
【０００８】
本発明の１つまたはそれ以上の実施形態の更なる目的は、曖昧なキーストローク入力システムと発語認識とを効率的に統合することである。
【０００９】
本発明の１つまたはそれ以上の実施形態のさらに他の目的は、曖昧なポインティング入力システムと発語認識とを効率的に統合することである。
【課題を解決するための手段】
【００１０】
これら目的を達成するために、本発明の装置は、第１ユーザ入力を複数の可能性のあるデータと曖昧であるように関連付ける第１データ入力システムを有する。本発明の装置はまた、第２ユーザ入力を受信することができる第２入力データシステムを有する。本発明の装置は、第２ユーザ入力を用いて複数の可能性のあるデータの特定の１つを決定する２つの入力データシステムに結合された処理ユニットを有する。
【００１１】
第１データ入力システムおよび第２データ入力システムは、本発明の装置にデータを入力するために同時に個人が用いる独立したシステムであることが可能である。第１入力データシステムは、ユーザの入力を複数の可能性のあるデータと関連付けるように構成されるという意味で、曖昧である。製造メーカによりデザインされた第１入力データシステムには曖昧さがもたらされる。そのような入力システムは、装置のサイズを最小化するためにより小さい装置であるように所望されることとなる。ここで用いられるように、可能性のあるデータは、グラフィック記号、ことば、文字、数字またはそれらの組み合わせ等の表示可能データのようないずれかのタイプの可能選択可能データを表すことが可能である。それ故、曖昧なデータ入力システムは、例えば、各々のキーが幾つかの記号と関連付けられる、減少された数のキーをもつキーパッドである。本発明においては、ユーザによりどの記号が実際に求められるかを示すために第２データ入力システムを用いるとき、曖昧さは取り除かれる。第２データ入力システムは、例えば、ユーザが所望の記号を綴りまたは話すことができるように、発語認識入力システムである。それ故、個人が、“Ｑ”、“Ｗ”、“Ａ”および“Ｓ”に関連付けられたキーを押すとき、この４つの文字は実際に表示装置に表示される。同時に、個人は、所望の文字を表示するために、文字“Ｗ”を話すことが可能である。また、個人は、全体的なことばをタイプして綴り、またはそれをタイプしている間にそのことばを話すことが可能である。
【００１２】
他の実施形態においては、アポイントメントスケジューリングシステムをもつ腕時計が考えられる。第１の曖昧な入力システムは、アナログの時計のダイヤルインタフェースをもつ実質的に小さい、触れることに感度を有する表示装置である。第２入力は、発語認識システムに結合されたマイクロフォンである。ユーザは、例えば、所望の時間のポイント周辺の表示装置の一般的領域を指で触れることによりアポイントメントの設定を行うことが可能であり、所望の時間を実質的に同時に提示することが可能である。このスケジューリングシステムは、時間インタバルに対する第１入力を解決し、より正確にアポイントメント時間を設定するために発語認識システムを用いる。発語認識システムはまた、例えば、雑音、ユニットの限定された処理パワー等のために曖昧であることがあり得る。後者の場合、曖昧な入力により生成される値の共通部分が、所望のアポイントメント時間を設定するために十分な情報を引き出すために用いられる。
【発明を実施するための最良の形態】
【００１３】
図１は、本発明の装置１００のブロック図である。そのような装置１００は、第１入力システム１４０を有する。第１入力システム１４０は、それが複数の有効な選択可能データ１２４をもつ所定のユーザ入力１２２に関連するという点で曖昧であるように構成される。従って、装置１００が入力するために求める、今までの実際の選択可能データを決定することができないため、ユーザ入力１２２は曖昧である。入力システム１４０は、例えば、従来のキーパッドと比較して数の少ないキーを備えたキーパッド１０２を有する。キーパッド１０２のキーは、幾つかの選択可能データを関連付けられている。この実施形態においては、選択可能データは、文字、数字またはグラフィック記号であることが可能である。ここで用いるように、“選択可能データ”はまた、ことばまたは文節のような文字、数字または記号の組み合わせを表すことが可能である。選択可能データはまた、他の実施径庭においては、カレンダー、スケジュールにおける時間、地図の領域等における入力とすることが可能である。入力システム１０２は、ユーザ入力１２２を認識するためおよびユーザ入力１２２に関連付けられた複数の選択可能データ１２４を識別するためのキーストローク認識アプリケーション１０４をさらに有する。関連付けプロセスは、キーパッドの各々の個人のキーをそれぞれの文字、記号または数字に関連付けるルックアップテーブルを用いることによりなされることが可能である。キーパッド１０２は、実際のハードボタンまたは仮想のソフトボタンを有することが可能であり、ユーザはキーを他のそれぞれの文字、数字または記号と関連付けて認識することが可能である。
【００１４】
入力システム１４０は、処理ユニット１０６に識別された複数の選択可能データ１２４を供給する。この段階で、処理ユニット１０６は、ユーザにより実際に求められたテキストデータを決定することができない。曖昧さを取り除くために、装置１００は第２入力システム１５０をさらに有する。第２入力システム１５０は第１入力システム１４０に対して相補的である。
【００１５】
この実施形態においては、第２入力システム１５０は音声認識入力システムである。このシステム１５０は、マイクロフォン１１０とマイクロフォン１１０に接続された発語認識アプリケーション１１２とを有する。この実施形態において、ユーザがキーパッド１０２のキーを押すことにより文字または記号を入力するとき、ユーザはマイクロフォンに所望の文字または記号を話すことが可能である。また、ことばをタイプするときまたはその後、ユーザは、ユーザが現時点でタイプしているまたはユーザが丁度タイプしたことばを話すことまたは綴ることが可能である。第２入力システム１５０は、発語サンプルであるこの第２ユーザ入力１２６を処理し、処理ユニット１０６に出力データ１２８を供給する。第２ユーザ入力１２６は、処理ユニット１０６が複数の選択可能データ１２４のどの１つが実際にユーザにより入力されたかを決定する、ことを可能にする。処理ユニット１０６は、決定された選択かのうデータ１３０を表示するために表示装置１０８に供給する。選択可能データ１３０はまた、装置１００の内部メモリに記憶されることが可能である。本発明の装置の実施形態の例については、以下、図２および図３を参照しながら説明する。
【００１６】
図２は、本発明の装置２００を示している。装置２００は、リモートコントロール、携帯端末装置、携帯電話等のような個人消費者向け電子機器である。例えば、ビジネスの会議においてノートを取るために、電子メールを送信するためまたは読むために、個人のカレンダーをチェックするために、他の個人消費者向け電子機器を制御するために、または個人のアドレス帳に記憶するために、ユーザは装置２００を必要とする。装置２００は、複数の個々のキー２０４乃至２１６を有する表示装置２０２およびキーパッド２２０を有する。この実施形態においては、キーパッド２２０はハードボタンキー２０４乃至２１６を用いて実現されるが、他の実施形態においては、キーパッド２２０は表示装置２０２に表示される選択可能タッチキーを用いる仮想キーパッドとすることができる。
【００１７】
装置は、２つの異なる入力システムであって、曖昧な第１入力システムと第２入力システムを備えている。キーパッド２２０は第１入力システムに属している。上記のように、この第１データシステムは、装置２００は第１入力システムのみを用いて、ユーザにより求められるテキストデータを決定することができないという点で、曖昧であるようにデザインされている。各々のキー２０４乃至２１６は、４つの異なる記号、文字または数字に対応する。例えば、キー２０６は文字“Ｅ”、“Ｒ”、“Ｆ”および記号“＆”を関連付けられている。従って、ユーザがキー２０６を押すとき、第１入力システム２２０は、これら４つの異なるテキストデータであって、“Ｅ”、“Ｒ”、“Ｆ”および記号“＆”を装置２００に表示する。
【００１８】
第２データ入力システムは、マイクロフォン２１２８を有する音声認識入力システムである。ユーザは、キーボード２２０にタイプするとき、ことばを綴りまたは話すことができる。例えば、キー２０６を押すとき、ユーザはマイクロフォン２１８の近くで文字“Ｅ”を同時に話す。キーストロークおよび発語サンプルにより、装置２００は、キー２０６により初めに表示される４つのテキストデータＥ、Ｒ、Ｆおよび＆から“Ｅ”を識別し、表示装置２０２に文字“Ｅ”を表示する。
【００１９】
図３は、本発明の他の例である装置３００を示している。この装置３００は、表示装置３１０と、第１の曖昧なデータ入力システムであるキーボード３１２と、４つの方向ボタンとを有する。ユーザが特定のキーを選択するとき、そのキーに関連付けられている４つのそれぞれの文字、数字または記号が装置３００に表示されるように、キーボード３１２の各々のキーは４つのテキストデータに関連付けられている。各々のキーは、図３に示すように、それに関連付けられた４つの文字であって、キーの上側の第１文字、左側の第２文字、右側の第３文字およびキーの下側の最後の文字を表示する。ボタン３１４は装置３００の第２データ入力システムに属している。ユーザは、４つの方向にボタン３１４を押すことができ、それ故、ユーザが入力するキーに関連付けられる４つの文字のうちどれか１つを表示することができる。例えば、キー３１４を押すことにより、ユーザは、４つのテキストデータであって、“Ｉ”、“Ｆ”、“Ｌ”および“＃”を装置３００に表示する。次いで、ユーザは、“Ｉ”を入力したい場合はボタン３１４の上側を押し、“＃”を入力したい場合はボタン３１４の下側を押し、“Ｆ”を入力したい場合はボタン３１４の左側を押し、“Ｌ”を入力したい場合はボタン３１４の右側を押す。２つの入力システムは独立しているが、装置１００にデータを入力しているときは、第１入力システムは単独で用いられることができない。
【００２０】
キーパッド３１２およびボタン３１４は、両方の手で装置３００を持つユーザが、ユーザの左手の親指および右手の親指それぞれを用いて、キーボード３１２のキーおよびボタン３１４を押すことができる。
【００２１】
図４および図５は、本発明の第３の実施形態について示している。この実施形態においては、装置は、運転方向、ナビゲーション支援および地図を提供するＧＰＳ装置である。図４および図５は、そのような装置の画面のスナップショットである。米国のビジネスマンがフランスのパリの“Ａｖｅｎｕｅ  ｄｅｓ  Ｃｈａｍｐｓ  Ｅｌｙｓｅｅｓ”における仕事上の会議のためにレンタカーを運転している場面を想定することにする。彼のレンタカーは、パリ市内の運転方向および地図を提供する、本発明のＧＰＳ装置を装備している。このビジネスマンは道に迷い、彼の出席する会議の場所への道順を見つける必要がある。彼は、“Ａｖｅｎｕｅ  ｄｅｓ  Ｃｈａｍｐｓ  Ｅｌｙｓｅｅｓ”の場所がどこなのか、正確に知りたいと思う。図４は、パリの２０の行政区の地図を示すＧＰＳシステムの最初の表示を示している。そのビジネスマンは、その通りがどこにあるのか凡そ知っている。彼は指で、ａｖｅｎｕｅ  ｄｅｓ  Ｃｈａｍｐｓ  Ｅｌｙｓｅｅｓのあるパリの近郊、第８行政区を画面上において選択する。小さいサイズの画面のために、彼の指はａｖｅｎｕｅ  ｄｅｓ  Ｃｈａｍｐｓ  Ｅｌｙｓｅｅｓを正確に選択することができない。パリの一部はこのようにして選択される。このパリの一部は、限られた数の通りおよびモニュメントを有する。従って、ユーザの入力は、そのビジネスマンにより選択された画面の一部に対応する幾つかの通りまたはモニュメントに関連している。それ故、ビジネスマンは、本発明のＧＲＳ装置のマイクロフォンに通りの名前を話す。第１画面の選択と音声入力とにより、この装置は、ここで、音声入力と選択された部分の中の通りの名前と比較することができる。一致がみられるとき、この装置は、図６に示すように、Ａｖｅｎｕｅ  ｄｅｓ  Ｃｈａｍｐｓ  Ｅｌｙｓｅｅｓの地図をビジネスマンに提示する。地図はまた、例えば、交通渋滞、駐車場の空き状況、ガソリンスタンドまたは通りが一方通行または両方向通行であるかの情報を表示することができる。
【００２２】
限定された画面サイズのためにビジネスマンが画面から正確な通りを指し示すことができないため、タッチスクリーン入力は曖昧である。本発明のＧＰＳ装置は初めの入力のみからは適切な通りを特定することができない。音声入力はその曖昧さを解消して入力データを精緻化することを可能にする。    
【図面の簡単な説明】
【００２３】
【図１】本発明の装置のブロック図である。
【図２】本発明の装置の第１実施形態を示す図である。
【図３】本発明の装置の第２実施形態を示す図である。
【図４】本発明のＧＰＳ装置の表示部のスナップショットを示す図である。
【図５】本発明のＧＰＳ装置の表示部のスナップショットを示す図である。
【図１】
2005513608.tif 000003
【図２】
2005513608.tif 000004
【図３】
2005513608.tif 000005
【図４】
2005513608.tif 000006
【図５】
2005513608.tif 000007
【国際調査報告】
2005513608.tif 000008
2005513608.tif 000009
2005513608.tif 000010